(57)【要約】【課題】様々な形状の検索エリアを簡単な操作で設定することができるナビゲーション装置を提供する。【解決手段】ナビゲーション装置１００は、形状の異なる複数個の図形画像を表示部７に表示させる図形画像出力部１３と、表示部７が表示した図形画像の中から選択された図形画像を地図画像に重畳して表示部７に表示させる図形画像重畳部１４と、地図画像が示す地図のうちの図形画像を重畳した領域に含まれる施設を検索する施設検索部１５とを備える。【選択図】図１
2017003282.tif 000002
【特許請求の範囲】
【請求項１】
形状の異なる複数個の図形画像を表示部に表示させる図形画像出力部と、
前記表示部が表示した前記図形画像の中から選択された前記図形画像を地図画像に重畳して前記表示部に表示させる図形画像重畳部と、
前記地図画像が示す地図のうちの前記図形画像を重畳した領域に含まれる施設を検索する施設検索部と、
を備えるナビゲーション装置。
【請求項２】
前記図形画像ごとに検索する施設のジャンルが設定されており、
前記施設検索部は、前記地図画像に重畳した前記図形画像に設定されたジャンルの施設を検索する
ことを特徴とする請求項１記載のナビゲーション装置。
【請求項３】
前記地図画像に重畳された前記図形画像の大きさを変更することで前記領域に含まれる地図の範囲を変更するサイズ変更部を備えることを特徴とする請求項１又は請求項２記載のナビゲーション装置。
【請求項４】
前記地図画像に重畳された前記図形画像を回転させることで前記領域に含まれる地図の範囲を変更する図形回転部を備えることを特徴とする請求項１又は請求項２記載のナビゲーション装置。
【請求項５】
前記地図画像が示す地図の縮尺を変更することで前記領域に含まれる地図の範囲を変更する縮尺変更部を備えることを特徴とする請求項１又は請求項２記載のナビゲーション装置。
【請求項６】
前記地図画像が示す地図を移動させることで前記領域に含まれる地図の範囲を変更する地図移動部を備えることを特徴とする請求項１又は請求項２記載のナビゲーション装置。
【請求項７】
前記地図画像が示す地図を回転させることで前記領域に含まれる地図の範囲を変更する地図回転部を備えることを特徴とする請求項１又は請求項２記載のナビゲーション装置。
【発明の詳細な説明】
【技術分野】
【０００１】
本発明は、移動体用のナビゲーション装置に関する。
【背景技術】
【０００２】
従来、車両の走行経路を案内するナビゲーション装置が普及している。ナビゲーション装置が用いる地図データには、地図上の施設を示す情報（以下「施設情報」という。）が含まれている。この施設情報を用いて、車両の現在位置、又は、走行経路の出発地、経由地若しくは目的地の周辺にある施設を検索するナビゲーション装置も開発されている。
【０００３】
従来のナビゲーション装置は、現在位置、出発地、経由地又は目的地などを基準として全方位に一定距離内にある施設を検索するものである。しかしながら、ユーザが検索を望む範囲は必ずしも全方位に一定距離内の範囲ではない。例えば、車両の進行方向の先にある領域は、車両が既に走行した領域よりも広い範囲を検索対象に含めることが望まれる。または、車両が道路の左車線を走行する場合、道路の左側にある施設は右側にある施設よりも車両が進入しやすいため、走行経路の左側の領域は右側の領域よりも広い範囲を検索対象に含めることが望まれる。または、車両の現在位置から直線距離が短い領域であっても、到着するまでに山又は川を迂回する必要があるなどの経路距離が長い領域は検索対象から除くことが望まれる。
【０００４】
従来のナビゲーション装置は、このようなユーザの希望に合った検索範囲を設定することができない問題があった。この問題に対し、特許文献１及び特許文献２には、ユーザの操作に応じて施設の検索範囲を設定する技術が開示されている。
【０００５】
特許文献１のナビゲーション装置は、ユーザがタッチパネルやリモコンの操作によって２点の位置を画面上で指示することにより、その２点を対角線上の頂点とする矩形状の境界線が地図上に作成される。この境界線で囲われた領域が、検索エリアに設定される。または、２点の位置を画面上で指示することにより、一方の点を中心とし、もう一方の点を円周上の点とする円形状の境界線を地図上に作成して、この境界線で囲われた領域を検索エリアに設定する。または、３点の位置を画面上で指示することにより、２点を焦点とし、残りの１点を円周上の点とする楕円形状の境界線を地図上に作成して、この境界線で囲われた領域を検索エリアに設定する。または、境界線を画面上でなぞることにより任意形状の境界線を地図上に作成して、この境界線で囲われた領域を検索エリアに設定する。
【０００６】
特許文献２の地図表示装置は、施設アイコンが相互に重なった部分を押圧すると、押圧位置を中心とした範囲設定円が表示される。押圧を続けると、押圧位置を中心として範囲設定円が大きくなる。押圧を止めると、範囲設定円内に表示されている施設アイコンに対応する施設が検索され、検索された施設がリストとして表示される。
【先行技術文献】
【特許文献】
【０００７】
【特許文献１】特開２００６−２０１０７２号公報
【特許文献２】特開２００９−２３０６４０号公報
【発明の概要】
【発明が解決しようとする課題】
【０００８】
特許文献２の地図表示装置は、施設を検索する範囲の形状が円形に限られている。このため、ユーザの希望に合った形状の検索範囲を設定することができない課題があった。
【０００９】
一方、特許文献１のナビゲーション装置は、ユーザが任意の形状の検索エリアを設定できるものの、検索エリアを設定する度に、画面上の複数個の点を指示したり、検索エリアの境界線をなぞったりする操作が必要になる。すなわち、検索エリアを設定する操作が複雑であり、検索エリアの設定に手間がかかり、適切な検索エリアを設定するのに時間がかかる課題があった。
【００１０】
本発明は、上記のような課題を解決するためになされたものであり、様々な形状の検索エリアを簡単な操作で設定することができるナビゲーション装置を提供することを目的とする。
【課題を解決するための手段】
【００１１】
本発明のナビゲーション装置は、形状の異なる複数個の図形画像を表示部に表示させる図形画像出力部と、表示部が表示した図形画像の中から選択された図形画像を地図画像に重畳して表示部に表示させる図形画像重畳部と、地図画像が示す地図のうちの図形画像を重畳した領域に含まれる施設を検索する施設検索部と、を備えるものである。
【発明の効果】
【００１２】
本発明のナビゲーション装置は、表示部に表示された図形画像を選択することで検索エリアを設定するため、様々な形状の検索エリアを簡単な操作で設定することができる。
【図面の簡単な説明】
【００１３】
【図１】本発明の実施の形態１に係るナビゲーション装置の要部を示す機能ブロック図である。
【図２】本発明の実施の形態１に係るナビゲーション装置の要部を示すハードウェア構成図である。
【図３】本発明の実施の形態１に係るナビゲーション装置の動作を示すフローチャートである。
【図４】本発明の実施の形態１に係るナビゲーション装置の表示画面の一例を示す説明図である。
【図５】本発明の実施の形態１に係るナビゲーション装置の表示画面の一例を示す説明図である。
【図６】本発明の実施の形態１に係るナビゲーション装置の表示画面の一例を示す説明図である。
【図７】本発明の実施の形態１に係るナビゲーション装置の表示画面の一例を示す説明図である。
【図８】本発明の実施の形態２に係るナビゲーション装置の要部を示す機能ブロック図である。
【図９】本発明の実施の形態２に係るナビゲーション装置の表示画面の一例を示す説明図である。
【図１０】本発明の実施の形態２に係るナビゲーション装置の表示画面の一例を示す説明図である。
【図１１】本発明の実施の形態２に係るナビゲーション装置の表示画面の一例を示す説明図である。
【図１２】本発明の実施の形態３に係るナビゲーション装置の要部を示す機能ブロック図である。
【図１３】本発明の実施の形態３に係る他のナビゲーション装置の要部を示す機能ブロック図である。
【発明を実施するための形態】
【００１４】
実施の形態１．
図１は、ジャイロセンサ２、車速センサ３、ＧＰＳ（Ｇｌｏｂａｌ  Ｐｏｓｉｔｉｏｎｉｎｇ  Ｓｙｓｔｅｍ）受信機４及びナビゲーション装置１００を図示しない車両に搭載した状態を示している。図１を参照して、実施の形態１のナビゲーション装置１００について説明する。
【００１５】
経路案内部１１は、ジャイロセンサ２が検知した車両の角速度、車速センサ３が出力した車速信号、及び、ＧＰＳ受信機４が受信したＧＰＳ信号などを用いて、車両の現在位置を算出するものである。経路案内部１１は、地図データ記憶部５に記憶された地図データを用いて、算出した現在位置から操作入力部６により設定された目的地までの走行経路を検索するものである。経路案内部１１は、検索した走行経路を案内する画像を表示部７に表示させるとともに、検索した走行経路を案内する音声を音声出力部８に出力させるものである。
【００１６】
地図画像生成部１２は、地図データ記憶部５に記憶された地図データを用いて、経路案内部１１が算出した現在位置、経路案内部１１が検索した走行経路の出発地、経由地若しくは目的地、又は、操作入力部６により入力された地点の周辺の地図画像を生成するものである。地図画像生成部１２は、生成した地図画像を表示部７に表示させるものである。
【００１７】
図形画像記憶部９には、互いに形状が異なる複数個の図形画像が記憶されている。それぞれの図形画像の形状は如何なる形状であっても良いが、例えば、円形、楕円形、矩形、三角形、菱形及び十字形などである。なお、各形状には、その輪郭と輪郭内部の領域とを含めることとする。図形画像出力部１３は、図形画像記憶部９に記憶された複数個の図形画像を並べて表示部７に表示させるものである。
【００１８】
図形画像重畳部１４は、図形画像出力部１３が表示部７に表示させた図形画像の中から操作入力部６により選択された図形画像を、地図画像生成部１２が表示部７に表示させている地図画像に重畳して表示させるものである。
【００１９】
施設検索部１５は、地図データ記憶部５に記憶された地図データを用いて、地図画像生成部１２が表示部７に表示させている地図画像が示す地図のうちの、図形画像重畳部１４が図形画像を重畳させた領域（以下「検索対象領域」という。）に含まれる施設を検索するものである。施設検索部１５は、検索した施設のリストを生成して表示部７に表示させるものである。
【００２０】
ここで、図形画像記憶部９に記憶された図形画像ごとに、施設検索部１５が検索する施設のジャンル（以下「検索対象ジャンル」という。）が設定されている。施設検索部１５は、検索対象領域に含まれる施設を検索するとき、地図画像に重畳した図形画像に設定された検索対象ジャンルの施設を検索するようになっている。各図形画像の検索対象ジャンルは、例えば、施設検索部１５が施設のジャンルのリストを表示部７に表示させ、リストの中から操作入力部６により選択されるものであり、ユーザにより設定自在になっている。
【００２１】
経路案内部１１、地図画像生成部１２、図形画像出力部１３、図形画像重畳部１４及び施設検索部１５により、制御部１が構成されている。制御部１、地図データ記憶部５、操作入力部６、表示部７、音声出力部８及び図形画像記憶部９により、ナビゲーション装置１００が構成されている。
【００２２】
図２を参照して、ナビゲーション装置１００のハードウェア構成について説明する。
図１に示す制御部１は、専用の処理回路５１により実現される。処理回路５１は、例えば、システムＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）又はこれらを組み合わせたものである。
【００２３】
図１に示す地図データ記憶部５は、メモリ５２により実現される。メモリ５２は、例えば、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）又はＨＤＤ（Ｈａｒｄ  Ｄｉｓｋ  Ｄｒｉｖｅ）などである。
【００２４】
図１に示す音声出力部８は、例えば、スピーカ５５により実現される。図１に示す表示部７は、例えば、ＦＰＤ（Ｆｌａｔ  Ｐａｎｅｌ  Ｄｉｓｐｌａｙ）などのディスプレイ５４により実現される。図１に示す操作入力部６は、例えば、ディスプレイ５４と一体のタッチパネル５３により実現される。
【００２５】
図１に示す図形画像記憶部９は、メモリ５６により実現される。メモリ５６は、例えば、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）又はフラッシュメモリなどの不揮発性メモリである。
【００２６】
次に、図３のフローチャートを参照して、制御部１の動作について説明する。
初期状態において、ナビゲーション装置１００は電源が入っている。また、各図形画像の検索対象ジャンルが予め設定されている。地図画像生成部１２は、地図画像を生成して表示部７に表示させる処理を継続している。
【００２７】
まず、ステップＳＴ１にて、図形画像出力部１３は、複数個の図形画像を並べて表示部７に表示させる。
【００２８】
次いで、ステップＳＴ２にて、図形画像重畳部１４は、図形画像出力部１３がステップＳＴ１で表示させた図形画像の中から操作入力部６により選択された図形画像を、地図画像生成部１２が表示部７に表示させている地図画像に重畳して表示させる。
【００２９】
次いで、ステップＳＴ３にて、施設検索部１５は、地図データ記憶部５に記憶された地図データを用いて、検索対象領域に含まれる施設を検索する。このとき、施設検索部１５は、ステップＳＴ２で図形画像重畳部１４が地図画像に重畳させた図形画像に対応する検索対象ジャンルの施設を検索する。施設検索部１５は、検索した施設のリストを生成して表示部７に表示させる。
【００３０】
次に、図４〜図８を参照して、表示部７の表示画面について説明する。
図４は、施設検索部１５が施設のジャンルのリストを表示させた画面の一例を示している。図４の例では、「交通」「買い物」「飲食店」の３つの大分類のジャンルが表示されている。大分類「交通」に含まれる小分類のジャンルに、「インターチェンジ、サービスエリア、パーキングエリア」「駅」「空港」が表示されている。大分類「買い物」に含まれる小分類のジャンルに、「アウトレット」「ショッピングモール」が表示されている。大分類「飲食店」に含まれる小分類のジャンルに、「レストラン」が表示されている。大分類及び小分類のそれぞれのジャンルが、操作入力部６により選択自在になっている。このような画面を用いて、ユーザは各図形画像に対して検索対象ジャンルを設定する。
【００３１】
図５は、地図画像生成部１２が地図画像を表示させ、かつ、図形画像出力部１３が複数個の図形画像を並べて表示させた画面の一例を示している。表示領域Ａには、車両ａの現在位置の周辺の地図画像が表示されている。表示領域Ａの右側の表示領域Ｂには、４個の図形画像ｂ１〜ｂ４が縦に並べて表示されている。図形画像ｂ１は楕円形であり、例えば「アウトレット」と「ショッピングモール」が検索対象ジャンルに設定されている。図形画像ｂ２は矩形であり、例えば「インターチェンジ、サービスエリア、パーキングエリア」が検索対象ジャンルに設定されている。図形画像ｂ３は十字形であり、例えば「駅」と「空港」が検索対象ジャンルに設定されている。図形画像ｂ４は菱形であり、例えば「飲食店」が検索対象ジャンルに設定されている。図形画像ｂ１〜ｂ４のそれぞれが操作入力部６により選択自在になっている。
【００３２】
図６は、図形画像重畳部１４が図形画像を地図画像に重畳した画面の一例を示している。表示領域Ｂに表示された４個の図形画像ｂ１〜ｂ４のうち、十字形の図形画像ｂ３が選択されている。表示領域Ａの地図画像には、選択された図形画像ｂ３が重畳して表示されている。この場合、表示領域Ａの地図画像が示す地図のうち、図形画像ｂ３が重畳された領域が施設検索部１５の検索対象領域となる。
【００３３】
図７は、施設検索部１５が検索した施設のリストを表示した画面の一例を示している。
図形画像ｂ３に設定された検索対象ジャンルが「駅」と「空港」である場合、施設検索部１５は検索対象領域に含まれる施設の中から駅と空港を検索する。図７の例では、検索対象領域に３個の駅ｃ１〜ｃ３が含まれており、空港は１個も含まれていない例を示している。施設検索部１５は、表示領域Ａの左側の表示領域Ｃに、検索した駅ｃ１〜ｃ３のリストを表示する。このとき、図７に示す如く、表示領域Ａの地図画像は、表示領域Ｃのリストに含まれる駅ｃ１〜ｃ３が縁取りされて強調表示されるものであっても良い。
【００３４】
表示領域Ｃのリストに含まれる駅ｃ１〜ｃ３は、それぞれ操作入力部６により選択自在になっている。経路案内部１１は、表示領域Ｃのリストから選択された駅ｃ１〜ｃ３を走行経路の経由地又は目的地に設定したり、表示領域Ｃのリストから選択された駅ｃ１〜ｃ３に関する情報を車両の搭乗者に案内したりする。
【００３５】
なお、施設のジャンルは図４に示すジャンルに限定されるものではなく、施設のジャンルのリストを表示する画面は図４に示す画面に限定されるものではない。地図データ記憶部５に記憶された地図データに含まれる施設であれば、如何なる施設のジャンルを如何なるリスト形式で表示するものであっても良い。
【００３６】
また、複数個の図形画像を並べて表示する画面は、図５に示す画面に限定されるものではない。例えば、地図画像を表示した表示領域Ａの左側、上側又は下側の表示領域に図形画像を並べて表示したものでも良い。または、表示領域Ａの手前に配置した半透明のレイヤーに図形画像を並べて表示したものでも良い。または、地図画像を表示した画面と独立した別画面に図形画像を並べて表示したものであっても良い。
【００３７】
また、図形画像記憶部９に記憶された図形画像のうちの一部の図形画像のみが表示領域Ｂに一度に表示され、表示領域Ｂをスクロールすることで残余の図形画像が表示されるものであっても良い。例えば、図形画像記憶部９に記憶された図形画像のうち、ユーザが過去に選択した回数の多いものから順に所定個数の図形画像を一度に並べて表示し、残余の図形画像をスクロールにより表示するものとしても良い。
【００３８】
また、地図画像に重畳した図形画像は、図６に示す如く図形の枠部のみを示す画像に限定されるものではない。例えば、図形の全体を半透明に着色した画像であっても良い。この着色は、図形の中心部から縁部に向かうにつれてグラデーション状に着色したものであっても良い。
【００３９】
また、検索した施設のリストを表示する画面は、図７に示す画面に限定されるものではない。例えば、地図画像を表示した表示領域Ａの右側、上側又は下側の表示領域にリストを表示したものでも良い。または、表示領域Ａの手前に配置した半透明のレイヤーにリストを表示したものでも良い。または、地図画像を表示した画面と独立した別画面にリストを表示したものであっても良い。または、地図画像を示す表示領域Ａと、複数個の図形画像を並べた表示領域Ｂと、検索した施設のリストを示す表示領域Ｃとを一画面に表示したものであっても良い。
【００４０】
また、操作入力部６、表示部７及び音声出力部８は、ナビゲーション装置１００と別体に構成されたものであっても良い。
【００４１】
また、ナビゲーション装置１００は、車両に持ち込まれたスマートフォンなどの携帯情報端末又はＰＮＤ（Ｐｅｒｓｏｎａｌ  Ｎａｖｉｇａｔｉｏｎ  Ｄｅｖｉｃｅ）により構成されたものであっても良い。
【００４２】
また、ナビゲーション装置１００を用いる移動体は車両に限定されるものではない。本発明のナビゲーション装置１００は、人、車両、鉄道、船舶又は航空機等を含む如何なる移動体にも用いることができる。
【００４３】
以上のように、実施の形態１のナビゲーション装置１００は、形状の異なる複数個の図形画像を表示部７に表示させる図形画像出力部１３と、表示部７が表示した図形画像の中から選択された図形画像を地図画像に重畳して表示部７に表示させる図形画像重畳部１４と、地図画像が示す地図のうちの図形画像を重畳した領域（検索対象領域）に含まれる施設を検索する施設検索部１５とを備える。表示部７に表示された図形画像を選択することで検索対象領域を設定するため、様々な形状の検索対象領域を簡単な操作で設定することができる。
【００４４】
また、実施の形態１のナビゲーション装置１００は、図形画像ごとに検索する施設のジャンル（検索対象ジャンル）が設定されている。施設検索部１５は、地図画像に重畳した図形画像に設定されたジャンル（検索対象ジャンル）の施設を検索する。これにより、ユーザが検索を望まない不要なジャンルの施設は検索結果のリストから除かれるため、ユーザがリストから行きたい施設を選択しやすくなる。また、各図形画像の検索対象ジャンルを予め設定しておくことで、検索対象領域を設定する度に検索対象ジャンルを選択する操作を不要にして、施設検索の操作手順を少なくすることができる。さらに、図形画像を選択する操作が同時に検索対象ジャンルを選択する操作であるため、ユーザは検索対象領域の形状と検索対象ジャンルとの関係を直感的に理解することができる。
【００４５】
実施の形態２．
図８を参照して、地図画像に重畳した図形画像の大きさを変更したり、地図画像を回転させたりすることができるナビゲーション装置１００について説明する。なお、図８において、図１に示す実施の形態１の機能ブロック図と同様のブロックには同一符号を付して説明を省略する。また、実施の形態２に係るナビゲーション装置１００のハードウェア構成は実施の形態１と同様であるため、図２を援用して説明する。
【００４６】
制御部１は、サイズ変更部１６を有している。サイズ変更部１６は、操作入力部６に入力された操作に応じて、図形画像重畳部１４が地図画像に重畳させた図形画像の大きさを変更するものである。
【００４７】
地図画像に重畳した図形画像の大きさを変更すると、検索対象領域に含まれる地図の範囲が変化する。例えば、図９に示す如く、地図画像に重畳した図形画像のサイズを大きくすると、検索対象領域に含まれる地図の範囲が広くなる。一方、図１０に示す如く、地図画像に重畳した図形画像のサイズを小さくすると、検索対象領域に含まれる地図の範囲が狭くなる。
【００４８】
また、制御部１は、図形画像回転部１９を有している。図形画像回転部１９は、操作入力部６に入力された操作に応じて、図形画像重畳部１４が地図画像に重畳させた図形画像を回転させるものである。例えば、図１１に示す如く、地図画像に重畳した図形画像を回転させると、検索対象領域に含まれる地図の範囲が変化する。
【００４９】
以上のように、実施の形態２のナビゲーション装置１００は、地図画像に重畳された図形画像の大きさを変更することで領域（検索対象領域）に含まれる地図の範囲を変更するサイズ変更部１６を備える。地図画像に重畳した図形画像の大きさを任意に変更することで、ユーザの希望に合った検索対象領域を設定することができる。
【００５０】
また、実施の形態２のナビゲーション装置１００は、地図画像に重畳された図形画像を回転させることで領域（検索対象領域）に含まれる地図の範囲を変更する図形画像回転部１９を備える。地図画像に重畳した図形画像を任意に回転させることで、ユーザの希望に合った検索対象領域を設定することができる。
【００５１】
なお、制御部１は、サイズ変更部１６及び図形画像回転部１９のうちのいずれか一方のみを有するものであっても良い。
【００５２】
実施の形態３．
図１２を参照して、地図画像が示す地図の縮尺を変更したり、地図を移動させたり、地図を回転させたりすることができるナビゲーション装置１００について説明する。なお、図１１において、図１に示す実施の形態１の機能ブロック図と同様のブロックには同一符号を付して説明を省略する。また、実施の形態２に係るナビゲーション装置１００のハードウェア構成は実施の形態１と同様であるため、図２を援用して説明する。
【００５３】
制御部１は、縮尺変更部１７を有している。縮尺変更部１７は、操作入力部６に入力された操作に応じて、地図画像生成部１２が表示部７に表示させている地図画像が示す地図の縮尺を変更するものである。
【００５４】
地図画像に図形画像が重畳された状態で地図画像が示す地図の縮尺を変更すると、検索対象領域に含まれる地図の範囲が変化する。例えば、重畳した図形画像の大きさが一定の状態で、地図画像が示す地図を拡大すると、検索対象領域に含まれる地図の範囲が狭くなる。一方、重畳した図形画像の大きさが一定の状態で、地図画像が示す地図を縮小すると、検索対象領域に含まれる地図の範囲が広くなる。
【００５５】
また、制御部１は、地図移動部１８を有している。地図移動部１８は、操作入力部６に入力された操作に応じて、地図画像生成部１２が表示部７に表示させている地図画像が示す地図を移動させるものである。
【００５６】
地図画像に図形画像が重畳された状態で地図画像が示す地図を移動させると、検索対象領域に含まれる地図の範囲が変化する。例えば、地図の南北が画面の上下に沿い、地図の北側が画面の上側に表示されている状態で、地図画像が示す地図を画面右側に移動させると、検索対象領域に含まれる地図の範囲は移動させる前よりも西側の範囲になる。一方、同様の状態で、地図画像が示す地図を画面左側に移動させると、検索対象領域に含まれる地図の範囲は移動させる前よりも東側の範囲になる。
【００５７】
また、制御部１は、地図回転部２０を有している。地図回転部２０は、操作入力部６に入力された操作に応じて、地図画像生成部１２が表示部７に表示させている地図画像が示す地図を回転させるものである。地図画像に図形画像が重畳された状態で地図画像が示す地図を回転させると、検索対象領域に含まれる地図の範囲が変化する。
【００５８】
以上のように、実施の形態３のナビゲーション装置１００は、地図画像が示す地図の縮尺を変更することで領域（検索対象領域）に含まれる地図の範囲を変更する縮尺変更部１７を備える。地図画像に図形画像を重畳した状態で、地図画像が示す地図の縮尺を任意に変更することで、ユーザの希望に合った検索対象領域を設定することができる。
【００５９】
また、実施の形態３のナビゲーション装置１００は、地図画像が示す地図を移動させることで領域（検索対象領域）に含まれる地図の範囲を変更する地図移動部１８を備える。地図画像に図形画像を重畳した状態で、地図画像が示す地図を任意に移動させることで、ユーザの希望に合った検対象領域を設定することができる。
【００６０】
また、実施の形態３のナビゲーション装置１００は、地図画像が示す地図を回転させることで領域（検索対象領域）に含まれる地図の範囲を変更する地図回転部２０を備える。地図画像に図形画像を重畳した状態で、地図画像が示す地図を任意に回転させることで、ユーザの希望に合った検対象領域を設定することができる。
【００６１】
なお、制御部１は、縮尺変更部１７、地図移動部１８及び地図回転部２０のうちのいずれか１つ又は２つのみを有するものであっても良い。
【００６２】
また、制御部１は、実施の形態２に係るサイズ変更部１６及び図形画像回転部１９と、実施の形態３に係る縮尺変更部１７、地図移動部１８及び地図回転部２０との両方を備えるものであっても良い。この場合の機能ブロック図を図１３に示す。操作入力部６を構成するタッチパネル５３の操作に応じて、地図画像に重畳した図形画像の大きさを変更する処理と、地図画像に重畳した図形画像を回転させる処理と、地図画像が示す地図の縮尺を変更する処理と、地図画像が示す地図を移動させる処理と、地図画像が示す地図を回転させる処理とを組み合わせて実行することで、ユーザのより細かい希望に合った検対象領域を設定することができる。
【００６３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６４】
１  制御部、２  ジャイロセンサ、３  車速センサ、４  ＧＰＳ受信機、５  地図データ記憶部、６  操作入力部、７  表示部、８  音声出力部、９  図形画像記憶部、１１  経路案内部、１２  地図画像生成部、１３  図形画像出力部、１４  図形画像重畳部、１５  施設検索部、１６  サイズ変更部、１７  縮尺変更部、１８  地図移動部、１９  図形画像回転部、２０  地図回転部、５１  処理回路、５２  メモリ、５３  タッチパネル、５４  ディスプレイ、５５  スピーカ、５６  メモリ、１００  ナビゲーション装置。
【図１】
2017003282.tif 000003
【図２】
2017003282.tif 000004
【図３】
2017003282.tif 000005
【図４】
2017003282.tif 000006
【図５】
2017003282.tif 000007
【図６】
2017003282.tif 000008
【図７】
2017003282.tif 000009
【図８】
2017003282.tif 000010
【図９】
2017003282.tif 000011
【図１０】
2017003282.tif 000012
【図１１】
2017003282.tif 000013
【図１２】
2017003282.tif 000014
【図１３】
2017003282.tif 000015